(57)【要約】【課題】フロントキャビネット側を設計変更することなく、表示パネルの使用を変更することが可能な薄型表示装置を提供する。【解決手段】薄型表示装置は、板状の基部と、基部の角部を構成する両辺から略垂直に延設した保持面と、保持面の裾部から外側に向けて延設したフランジと、フランジに形成された貫通穴とを備える位置決め部材１０を有しており、位置決め部材１０の基部を表示パネル２０の背面に対向するよう配置しつつ、保持面を前記表示パネルの角部を形成する両側面に押し当て、ねじ部品３８を貫通穴を貫通させつつボス部材３６の雌ねじ部にねじ止めして、表示パネル２０をフロントキャビネットに位置決めする。【選択図】図７
2009258440.tif 000002
【特許請求の範囲】
【請求項１】
所定面が開口した箱型のフロントキャビネットの内部に略矩形状の表示パネルを収容して固定し、前記開口をリアキャビネットにより遮蔽するよう前記フロントキャビネットに固定して組み立てられる薄型表示装置において、
板状の基部と、前記基部の角部を構成する両辺から略垂直に延設した保持面と、前記保持面の裾部から外側に向けて延設したフランジと、前記フランジに形成された貫通穴とを備える位置決め部材を有し、
前記フロントキャビネットの内側には、前記貫通穴を貫通したねじ部品と螺合する雌ねじ部が形成され、
前記位置決め部材は、前記フロントキャビネットの内部に収容された前記表示パネルに対して、前記基部を前記表示パネルの背面に対向するよう配置しつつ、前記保持面を前記表示パネルの角部を形成する両側面に押し当て、ねじ部品を前記貫通穴を貫通させつつ前記雌ねじ部にねじ止めして、前記フロントキャビネットに固定されることを特徴とする薄型表示装置。
【請求項２】
前記雌ねじ部は、フロントキャビネットの内壁側から突設する第一のボス部位に形成され、
前記フランジは、前記貫通穴の周囲から突設した環帯状のリブを備え、この環帯状の内周により形成される開口に前記ボス部位の頭頂部を嵌入して前記フロントキャビネットに位置決めされることを特徴とする請求項１に記載の薄型表示装置。
【請求項３】
前記基部は、該基部から前記保持面の延設方向に、前記保持面より高さが低いリブを有することを特徴とする請求項１又は請求項２のいずれかに記載の薄型表示装置。
【請求項４】
前記リブは前記基部から格子状に突設した構成であることを特徴とする請求項３に記載の薄型表示装置。
【請求項５】
前記フロントキャビネットは、前記表示パネルの表示面と対向する内壁面から略垂直に、前記表示パネルの厚みと略同寸まで突設して、雌ねじ部が形成された第二のボス部位を複数有し、
前記ボス部位の雌ねじ部に、ねじ部とこのねじ部の軸方向から略垂直に延設した当接面とを備えるねじ部品を螺合させて、前記当接面で前記表示パネルの縁部を当接して、前記フロントキャビネットに前記表示パネルを固定することを特徴とする請求項１〜請求項４のいずれか一項に記載の薄型表示装置。
【請求項６】
前記位置決め部材は、前記薄型表示装置における対向する２つの角部周辺に配置されるよう前記フロントキャビネットにねじ止めされることを特徴とする請求項１〜請求項５のいずれか一項に記載の薄型表示装置。
【請求項７】
前記雌ねじ部は、フロントキャビネットの内壁側から突設する第一のボス部位に形成され、
前記フランジは、前記貫通穴の周囲から突設した環帯状のリブを有し、この環帯状の内周により形成される開口に前記ボス部位の頭頂部を嵌入して前記フロントキャビネットに位置決めされ、
前記基部は、該基部から前記保持面の延設方向に、前記保持面より高さが低く、格子状に突設したリブを有し、
前記フロントキャビネットは、前記表示パネルの表示面と対向する内壁面から略垂直に、前記表示パネルの厚みと略同寸まで突設して、雌ねじ部が形成された第二のボス部位を複数有し、
前記第二のボス部位の雌ねじ部に、ねじ部とこのねじ部の軸方向から略垂直に延設した当接面とを備えるねじ部品を螺合させて、前記当接面で前記表示パネルの縁部を当接して、前記フロントキャビネットに前記表示パネルを固定することを特徴とする請求項１に記載の薄型表示装置。
【発明の詳細な説明】
【技術分野】
【０００１】
本発明は、所定面が開口した箱型のフロントキャビネットの内部に略矩形状の表示パネルを収容して固定し、前記開口をリアキャビネットにより遮蔽するよう前記フロントキャビネットに固定して組み立てられる薄型表示装置に関するものである。
【背景技術】
【０００２】
従来、表示パネルを、フロントキャビネットとリアキャビネットとで構成された筐体に収容して固定する薄型表示装置が知られている。この薄型表示装置は、フロントキャビネットに形成された所定開口から表示パネルを内部に収容して固定し、フロントキャビネットの開口を遮蔽するようリアキャビネットをフロントキャビネットに固定して組み立てられる。このとき、表示パネルはフロントキャビネットに固定用部材を用いて取り付けられる。
【０００３】
例えば、表示パネルをフロントキャビネットに固定するに際し、断面クランク状に形成されたパネルホルダーを、表示パネルの背面側を構成するバックライトシャーシから突設した取り付けフランジ及びフロントキャビネットにねじ止めして組み立てられる薄型表示装置が開示されている（例えば、特許文献１参照。）。
【０００４】
また、平面表示パネルの側面から突出したラグ及び凹状のシャーシフレームを用いて、平面表示パネルをフロントキャビネットに固定する構造が開示されている（例えば、特許文献２参照。）。
【０００５】
そして、取り付け穴変換部材を用いて液晶表示装置（表示パネル）をキャビネットに固定する構造が開示されている（例えば、特許文献３参照。）。
【特許文献１】特開２００６−２３５４２５号公報
【特許文献２】特開２００５−２６０４９９号公報
【特許文献３】特開２０００−１００８２号公報
【発明の開示】
【発明が解決しようとする課題】
【０００６】
上記した薄型表示装置では、量産過程において表示パネルのみを変更する場合がある。  しかし、表示パネルの外観形状は生産メーカー等によって異なる場合が多く、表示パネルのみを変更した場合でも、表示パネルの形状変更に合わせて固定用部材、及びフロントキャビネットにおける固定用部材と固定される部位も設計変更し直す必要があった。
そのため、表示パネルの使用変更のたびに、上記した設計変更が必要となり、設計変更に要する期間の長期化及びコストが高くついていた。
【０００７】
本発明は、上記課題に鑑みてなされたもので、フロントキャビネット側を設計変更することなく、表示パネルの使用を変更することが可能な薄型表示装置を提供する。
【課題を解決するための手段】
【０００８】
上記課題を解決するために、本発明の一局面として、所定面が開口した箱型のフロントキャビネットの内部に略矩形状の表示パネルを収容して固定し、前記開口をリアキャビネットにより遮蔽するよう前記フロントキャビネットに固定して組み立てられる薄型表示装置において、板状の基部と、前記基部の角部を構成する両辺から略垂直に延設した保持面と、前記保持面の裾部から外側に向けて延設したフランジと、前記フランジに形成された貫通穴とを備える位置決め部材を有し、前記フロントキャビネットの内側には、前記貫通穴を貫通したねじ部品と螺合する雌ねじ部が形成され、前記位置決め部材は、前記フロントキャビネットの内部に収容された前記表示パネルに対して、前記基部を前記表示パネルの背面に対向するよう配置しつつ、前記保持面を前記表示パネルの角部を形成する両側面に押し当て、ねじ部品を前記貫通穴を貫通させつつ前記雌ねじ部にねじ止めして、前記フロントキャビネットに固定される。
【０００９】
上記のように構成された発明では、薄型表示装置は、位置決め部材を、フロントキャビネットの雌ねじ部にねじ止めして、表示パネルをフロントキャビネットに位置決めする。このとき、位置決め部材の基部をフロントキャビネットに収容された表示パネルの背面に対向するよう配置し、保持面を表示パネルの角部を形成する両側面に押し当てつつ貫通穴を貫通させたねじ部品を雌ねじ部にねじ止めする。
そのため、位置決め部材は表示パネルの角部を形成する側面を保持しつつ表示パネルを位置決めするとともに、フロントキャビネットにねじ部品を用いて固定されるため、表示パネルの形状を変更する場合は、位置決め部材のみを変更して対応すればよく、フロントパネル側の変更を行なう必要がなくなる。また、表示パネルを固定するに際し、表示パネルの角部を位置決めするため、比較的大型のパネル固定部材を使用する必要がなくなり、材料を削減してコストを下げることができる。
【００１０】
好ましくは、前記雌ねじ部は、フロントキャビネットの内壁側から突設する第一のボス部位に形成され、前記フランジは、前記貫通穴の周囲から突設した環帯状のリブを備え、この環帯状の内周により形成される開口に前記ボス部位の頭頂部を嵌入して前記フロントキャビネットに位置決めされる。
上記のように構成された発明では、位置決め部材の環帯のリブにボス部の頭頂部を嵌入することで、位置決め部材をフロントキャビネットの所定位置に配置することができるため、組み付け時の作業性を向上させることができる。
【００１１】
好ましくは、前記基部は、該基部から前記保持面の延設方向に、前記保持面より高さが低いリブを有する。
上記のように構成された発明では、基部に形成されたリブにより位置決め部材の応力を高めるとともに、このリブにより表示パネルの背面側を押圧して、表示パネルをより強固に位置決めすることができる。
【００１２】
好ましくは、前記リブは前記基部から格子状に突設した構成である。
上記のように構成された発明では、格子状に形成されたリブによりより位置決め部材の応力を高めることができる。
【００１３】
好ましくは、前記フロントキャビネットは、前記表示パネルの表示面と対向する内壁面から略垂直に、前記表示パネルの厚みと略同寸まで突設して、雌ねじ部が形成された第二のボス部位を複数有し、前記ボス部位の雌ねじ部に、ねじ部とこのねじ部の軸方向から略垂直に延設した当接面とを備えるねじ部品を螺合させて、前記当接面で前記表示パネルの縁部を当接して、前記フロントキャビネットに前記表示パネルを固定する。
上記のように構成された発明では、ねじの締め付け方向が均一となるため、組み付けにおける作業性を向上させることができる。
【００１４】
好ましくは、前記位置決め部材は、前記薄型表示装置における対向する２つの角部周辺に配置されるよう前記フロントキャビネットにねじ止めされる。
上記のように構成された発明では、位置決め部材を対角に配置することで、表示パネルをフロントキャビネットに位置決めしつつ固定することができるため、表示パネルをフロントキャビネットに固定することのみに使用される部材を抹消することができる。
【００１５】
本発明の他の局面として、前記雌ねじ部は、フロントキャビネットの内壁側から突設する第一のボス部位に形成され、前記フランジは、前記貫通穴の周囲から突設した環帯状のリブを有し、この環帯状の内周により形成される開口に前記ボス部位の頭頂部を嵌入して前記フロントキャビネットに位置決めされ、前記基部は、該基部から前記保持面の延設方向に、前記保持面より高さが低く、格子状に突設したリブを有し、前記フロントキャビネットは、前記表示パネルの表示面と対向する内壁面から略垂直に、前記表示パネルの厚みと略同寸まで突設して、雌ねじ部が形成された第二のボス部位を複数有し、前記第二のボス部位の雌ねじ部に、ねじ部とこのねじ部の軸方向から略垂直に延設した当接面とを備えるねじ部品を螺合させて、前記当接面で前記表示パネルの縁部を当接して、前記フロントキャビネットに前記表示パネルを固定する。
【発明の効果】
【００１６】
以上説明したように本発明によれば、表示パネルの形状を変更する場合は、位置決め部材のみを変更して対応すればよく、フロントパネル側の変更を行なう必要がなくなる。
また請求項２にかかる発明によれば、位置決め部材をフロントキャビネットの所定位置に配置することができるため、組み付け時の作業性を向上させることができる。
さらに請求項３，４にかかる発明によれば、このリブにより表示パネルの背面側を押圧して、表示パネルをより強固に位置決めすることができる。
【００１７】
また請求項５にかかる発明によれば、表示パネルをフロントキャビネットに固定することのみに使用する部材を抹消することができる。
また請求項６にかかる発明によれば、表示パネルをフロントキャビネットに固定することのみに使用される部材を抹消することができる。
さらに請求項７のような、より具体的な構成において、上述した請求項２〜請求項６の各発明と同様の作用を奏することはいうまでもない。
【発明を実施するための最良の形態】
【００１８】
以下、図を参照しつつ、下記の順序に従って本発明の実施形態を説明する。なお、図中、同一又は相等する部位には同一の符号を付し、その説明は繰返さない。
１．第一の実施の形態：
２．第二の実施の形態：
【００１９】
１．第一の実施の形態：
図１は、本実施の形態における薄型表示装置の構成を説明する展開図である。薄型表示装置１００は、映像を表示するための機能を備える略矩形の表示パネル２０と、表示パネル２０を収容する機能を備える筐体における、前側部分を形成するフロントキャビネット３０（以下、ＦｒＣと記載）と、上記筐体の後側部分を形成するリアキャビネット４０（以下、ＲＣと記載）とを備えている。
また、薄型表示装置１００はＦｒＣ３０の開口３１から表示パネル２０を収容して内部に固定した後、開口３１を遮蔽するようＲＣ４０をＦｒＣ３０に固定して組み立てられる。このとき、表示パネル２０は位置決め部材１０によりＦｒＣ３０に位置決めされた後、ＦｒＣ３０に固定される。なお、表示パネル２０の背面には、表示パネル２０を駆動するための駆動基板（図示しない）が固定されている。
【００２０】
表示パネル２０は、所定方法で入力された映像信号に基づいて映像を表示するための機能を備えている。本表示パネル２０の実施の形態としては、液晶を駆動させて映像を表示させる機能を備える液晶パネルや、プラズマ放電を利用して映像を表示させる機能を備えるプラズマパネル等である。無論、表示パネル２０の駆動方法は本発明の要素とは関係がないため、上記した駆動方法に限定されるものではない。
【００２１】
図２は、液晶パネルとしての表示パネル２０をＡ−Ａ線で切断して示す概略断面図である。なお、この図では、液晶パネルをバックライト型として説明するが、これに限定されるものではなく、サイドライト型であってもよいし、他の形式であってもよい。
【００２２】
同図２より、表示パネル２０は、液晶層及びこの液晶層を駆動するための各種回路から成るパネル本体２１と、パネル本体２１を背面から照らす光源としての機能を備えるバックライト２２と、パネル本体２１及びバックライト２２とを収容する機能を備えるフロントフレーム２３及びリアフレーム２４とを備えている。
フロントフレーム２３は、パネル本体２１の表示面側を前面側とした場合に、背面側に開口２３ａを備える厚みの薄い箱型形状である。また、前面側にパネル本体２１の表示面を露出させるための開口２３ｂが形成されている。さらに、リアフレーム２４は、前面側に開口２４ａを備える厚みの薄い箱型形状である。
【００２３】
表示パネル２０の組み立て方法は以下の通りである。まず、パネル本体２１の背面にバックライト２２を固定した後、パネル本体２１をフロントフレーム２３の開口２３ａから内部に収容する。次に、リアフレーム２４をパネル本体２１及びバックライト２２の背面側からフロントフレーム２３の開口２３ａの一部を覆うよう配置し、フロントフレーム２３に固定する。このとき、表示パネル２０の背面側は、その外周をフロントフレーム２３の裾部２３ｃにより囲まれ、裾部２３ｃにより囲まれた開口内部にリアフレーム２４の背面側が所定高さだけ突出して配置されている。そのため、表示パネル２０の背面側は均一の面となっていない。
【００２４】
ＦｒＣ３０は、表示パネル２０を収容して固定する機能を備えている。図３は、フロントキャビネットの背面側の構成を説明する斜視図である。ＦｒＣ３０は厚みの薄い箱型形状であって、前面側に表示パネル２０の表示面を露出させる表示開口３２が設けられ、背面側に開口３１が設けられている。さらに、ＦｒＣ３０の内側には、開口３２の外周に沿って、内壁から略垂直に突設した位置決めリブ３３，３４と、内壁から略垂直に突設した第一のボス部位３５及び第二のボス部位３６とが設けられている。なお、本実施の形態でのＦｒＣ３０は硬質の樹脂により形成されている。
【００２５】
図４は、図３におけるＢ−Ｂ線、Ｃ−Ｃ線、及びＤ−Ｄ線で切断したＦｒＣ３０の断面図である。なお、図４（ａ）は、Ｂ−Ｂ線で切断した断面図である。また、図４（ｂ）は、Ｃ−Ｃ線で切断した断面図である。そして、図４（ｃ）は、Ｄ−Ｄ線で切断した断面図である。
【００２６】
図４（ａ）に示すように、ＦｒＣ３０の内壁には、ＦｒＣ３０の幅方向で対向するよう突設した位置決めリブ３３，３３が設けられている。位置決めリブ３３，３３は、ＦｒＣ３０の内壁から突設する座部３３ａと、この座部３３ａから突設する側面保持部３３ｂとで断面が略Ｌ字状になるよう形成されている。また、側面保持部３３ｂ，３３ｂ間の寸法は、表示パネル２０の幅に相当する寸法となるよう構成されている。
【００２７】
本実施形態に係るＦｒＣ３０では、その両端に形成された側面保持部３３ｂ，３３ｂ間の寸法を、ＦｒＣ３０に収容することができる最も大きな表示パネル２０の幅と略同寸ｗ１となるよう形成されている。つまり、ＦｒＣ３０に幅ｗ１の表示パネル２０を位置決めする場合は、位置決めリブ３３，３３を使用する。なお、その他の幅の表示パネルをＦｒＣ３０に位置決めする場合は、位置決め部材１０を使用する。
【００２８】
図４（ｂ）に示すように、ＦｒＣ３０の内壁には、ＦｒＣ３０の高さ方向ｈで対向するよう突設した位置決めリブ３４，３４が設けられている。位置決めリブ３４，３４は、ＦｒＣ３０の内壁から突設する座部３４ａと、この座部３４ａから突設する上下面保持部３４ｂとで断面が略Ｌ字状となるよう形成されている。また、上下面保持部３４ｂ，３４ｂ間の寸法は、表示パネル２０の高さに相当する寸法となるよう構成されている。
【００２９】
本実施形態に係るＦｒＣ３０では、上下面保持部３４ｂ，３４ｂ間の寸法を、ＦｒＣ３０に収容することができる最も大きな表示パネル２０の高さと略同寸ｈ１となるよう形成されている。つまり、ＦｒＣ３０に高さｈ１の表示パネル２０を位置決めする場合は、位置決めリブ３４を使用する。なお、その他の幅の表示パネルをＦｒＣ３０に位置決めする場合は、位置決め部材１０を使用する。
【００３０】
図４（ｃ）に示すように、ＦｒＣ３０の内壁には、ＦｒＣ３０の開口３１の外周に沿って突設したボス部位３５が設けられている。ボス部位３５は、ＦｒＣ３０内壁から、位置決めリブ３３，３４に載置された表示パネル２０背面までの高さＢｈと略同寸となるよう形成されている。また、ボス部位３５は、その頭頂部から所定長さにかけて所定径を備えた雌ねじ部３５ａが形成されている。
【００３１】
ＲＣ４０は、ＦｒＣ３０の開口３１を遮蔽するとともに、ＦｒＣ３０と一体となって薄型表示装置１００における筐体を構成する。ＲＣ４０は、厚みの薄い箱型形状であって、ＦｒＣ３０の開口３１と対向する面に開口が形成されている。
【００３２】
位置決め部材１０は、ＦｒＣ３０に収容される表示パネル２０を位置決めする機能を備えている。位置決め部材１０は、表示パネル２０をＦｒＣ３０に位置決めする際、表示パネル２０の角部を形成する両側面１０ａ，１０ａで表示パネルを保持し、ＦｒＣ３０に位置決めする。
【００３３】
図５は、位置決め部材を説明する斜視図である。なお、図５（ａ）は位置決め部材を薄型表示装置１００の背面側から見た斜視図である。また、図５（ｂ）は位置決め部材を薄型表示装置１００の前面側から見た斜視図である。
【００３４】
同図より、位置決め部材１０は、板状の基部１１と、基部１１の角部を形成する両辺１１ａ，１１ａから略垂直に延設した保持面１２，１２と、保持面１２，１２の裾部１２ａから外側に向けて延設したフランジ１３とで構成されている。なお、本実施の形態での位置決め部材１０は、基部１１の上部が厚みを同じに所定長さだけ延設するとともに、延設した基部１１の上部縁部から略垂直に延設した側面１１ｂ，１１ｂ，１１ｂにより上部空間１１ｃを形成している。
【００３５】
また、基部１１の内側面には、一部が格子状に成るよう内壁から突設したリブ１４が形成されている。リブ１４は、位置決め部材１０の補強としての機能を備えるとともに、表示パネル２０の背面側と当接して表示パネル２０をＦｒＣ３０に位置決めする機能を備えている。
【００３６】
さらに、フランジ１３には、環帯状の位置決めリブ１５が形成されており、この位置決めリブ１５の内周で形成された開口１５ａの径は、ＦｒＣ３０から突設した第二のボス部位３６の径と略同一である。さらには、フランジ１３における位置決めリブ１５で囲まれた部位には、ねじ部品が貫通する貫通穴１６が形成されている。そのため、位置決め部材１０をＦｒＣ３０と固定する際、位置決めリブ１５の開口１５ａに第二のボス部位３６の頭頂部を嵌入して位置決めした後、貫通穴１６を貫通させたねじ部品を第二のボス部位３６の雌ねじ部にねじ止めすれば、組み付け時の作業性を向上させることができる。本発明の実施の形態に係る位置決め部材１０は樹脂にて形成されるが、これに限定されない。
【００３７】
また、フランジ１３に形成される２つの貫通穴１６，１６は、少なくとも一つが長穴であることが望ましい。貫通穴１６の一つを長穴とすることで、位置決め部材１０をＦｒＣ３０に固定する際、第二のボス部位３６に形成された雌ねじ部の寸法誤差を吸収することができ、不具合を防止することができる。
【００３８】
１．２．薄型表示装置の組み立て方法
以下図６，７を参照して、本発明に係る薄型表示装置１００の組み立て方法を説明する。図６は、幅ｄ１及び高さｈ１の表示パネルをＦｒＣ３０に固定したときの断面図である。なお、図６（ａ）は、図２におけるＢ−Ｂ線で切断したＦｒＣ３０の断面図である。また、図６（ｂ）は、図２におけるＣ−Ｃ線で切断したＦｒＣ３０の断面図である。また、図７は、幅ｗ２及び高さｈ２の表示パネルをフロントキャビネットに固定したときの断面図である。図７は、幅ｗ２及び高さｈ２の表示パネルをフロントキャビネットに固定したときの断面図であるなお、ｗ１とｗ２及びｈ１とｈ２は、ｗ１＞ｗ２、ｈ１＞ｈ２の関係を満たす値である。
【００３９】
図６に示すように、幅ｗ１及び高さｈ１の表示パネルをＦｒＣ３０に収容して固定する場合、まず、表示パネル２０の表示面側の縁部を位置決めリブ３３，３４の座部３３ａ，３４ａに載置する。前述したように、位置決めリブ３３の側面保持部３３ｂ，３３ｂ間の幅及び、位置決めリブ３４の上下面保持部３４ｂ，３４ｂ間の幅は、表示パネル２０の幅ｗ１及び高さｈ１に沿って形成されており、表示パネル２０を位置決めリブ３３，３４に載置することで、表示パネル２０は位置決めリブ３３，３４により幅及び高さ方向の動きを規制されて位置決めされる。
【００４０】
次に、図６（ｂ）に示すように、第一のボス部位３５に座付きねじ３７を螺合させて、表示パネル２０をＦｒＣ３０に固定する。このとき、表示パネル２０は、フロントフレーム２３の厚み方向ｄを位置決めリブ３３，３４の座部３３ａ，３４ａと座付きねじ３７の座の裏面により狭持されて、ＦｒＣ３０に固定される。その後、ＦｒＣ３０の開口３１を覆うよう、ＲＣ４０をねじ止めする。このため、ねじ部品の締め付け方向を同一方向とすることで、作業者の作業姿勢を同一にすることができ、作業性を向上させることができる。なお、表示パネルをＦｒＣ３０に固定する部材としては、座付きねじの他に、所定径のワッシャーを貫通させたねじ部品を用いてもよい。 
【００４１】
次に、図７を参照して、幅ｗ２及び高さｈ２の表示パネルをＦｒＣ３０に固定する場合を説明する。まず、図６（ａ）と同様に、表示パネル２０を位置決めリブ３３，３４の座部３３ａ，３４ａに載置する。このとき、位置決めリブ３３の側面保持部３３ｂ，３３ｂ間の幅ｗ１及び上下面保持部３４ｂ，３４ｂ間の幅ｈ１は、表示パネル２０の幅ｗ２及び高さｈ２より大きいため、表示パネル２０を位置決めリブ３３，３４に載置しても、表示パネル２０はＦｒＣ３０に位置決めされない。
【００４２】
次に、図７（ａ）に示すように、位置決め部材１０をＦｒＣ３０にねじ止めして、表示パネル２０の角部を位置決めする。このとき、位置決め部材１０の基部１１を表示パネル２０の背面縁部と対向させつつ、保持面１２を表示パネル２０の両側面１０ａと密接させるとともに、フランジ１３の位置決めリブ１５の開口１５ａに第二のボス部位３６の頭頂部を挿入する。そして、貫通穴１６にねじ部品３８のねじ部を貫通させつつねじ部品３８を第二のボス部位３６の雌ねじ部と螺合させて、位置決め部材１０をＦｒＣ３０に固定する。これにより、表示パネル２０は、位置決め部材１０の保持面１２，１２で位置決めされる。
【００４３】
このとき、位置決め部材１０の一部が格子状に形成されたリブ１４が表示パネル２０の背面側と当接して、表示パネル２０をＦｒＣ３０に保持する。また、表示パネル２０の背面と当接する箇所をリブ状とすることで、表示パネル２０の背面側が均一の面により形成されていない場合でも、位置決め部材１０に係る応力によって、位置決め部材１０の基部１１が反り返り、表示パネル２０をＦｒＣ３０に押し付ける力が阻害されてしまうのを防止することができる。
【００４４】
その後、表示パネル２０の他の角部にも、位置決め部材１０を用いてＦｒＣ３０に位置決めする。更に、図７（ｂ）に示すように、第一のボス部位３５に座付きねじ３７を螺合させて、表示パネル２０をＦｒＣ３０に固定する。そして、ＦｒＣ３０の開口３１を覆うよう、ＲＣ４０をＦｒＣ３０に固定する。
【００４５】
２．第二の実施の形態
第一の実施の形態では、位置決め部材１０を、ＦｒＣ３０に表示パネル２０を位置決めするために使用したが、位置決め部材１０を、ＦｒＣ３０に表示パネル２０を固定するために使用してもよい。特に、表示パネル２０のインチサイズが小さい場合（例えば、１５インチ以下）の場合は、表示パネル２０の重量も軽く、位置決め部材１０だけでも、表示パネル２０をＦｒＣ３０に固定するのに十分な締結力を保持することができる。
【００４６】
図８は、変形例としての、表示パネルが固定されたフロントキャビネットの背面図である。表示パネル２０の対角を位置決め部材を用いてＦｒＣ３０に位置決めしつつ固定することで、表示パネル２０をＦｒＣ３０に固定するための第一のボス部位３５及びねじ部品等を抹消することができ、薄型表示装置１００の組み立て工程を減らすことができる。そのため、薄型表示装置１００の組み立てに係る時間を短くすることができる。
【００４７】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００４８】
【図１】本実施の形態における薄型表示装置の構成を説明する展開図である。
【図２】液晶パネルとしての表示パネル２０をＡ−Ａ線で切断して示す概略断面図である。
【図３】フロントキャビネットの背面側の構成を説明する背面図である。
【図４】図３におけるＢ−Ｂ線，Ｃ−Ｃ線，及びＤ−Ｄ線で切断したＦｒＣ３０の断面図である。
【図５】位置決め部材を説明する斜視図である。
【図６】幅ｄ１及び高さｈ１の表示パネルをＦｒＣ３０に固定したときの断面図である。
【図７】幅ｗ２及び高さｈ２の表示パネルをフロントキャビネットに固定したときの断面図である。
【図８】変形例としての、表示パネルが固定されたフロントキャビネットの背面図である。
【符号の説明】
【００４９】
１０…位置決め部材、１１…基部、１２…保持面、１３…フランジ、１４…リブ、１５…位置決めリブ、１５ａ…開口、１６…貫通穴、２０…表示パネル、２１…パネル本体、２２…バックライト、２３…フロントフレーム、２４…リアフレーム、３０…フロントキャビネット、３１…開口、３２…開口、３３，３４…位置決めリブ、３５…第一のボス部位、３６…第二のボス部位、３７…座付きねじ、３８…ねじ部品、４０…リアキャビネット、１００…薄型表示装置
【図１】
2009258440.tif 000003
【図２】
2009258440.tif 000004
【図３】
2009258440.tif 000005
【図４】
2009258440.tif 000006
【図５】
2009258440.tif 000007
【図６】
2009258440.tif 000008
【図７】
2009258440.tif 000009
【図８】
2009258440.tif 000010